(57)【特許請求の範囲】
【請求項１】
ベースの両側に回転可能に相対配置されるとともに、少なくとも一方がベースに着脱自在に設けられた一対の綴じ板と、これら綴じ板間に位置する綴じ部材とを備えた綴じ具において、
前記綴じ部材は、各綴じ板にそれぞれ支持されて軸方向に伸縮可能に嵌合する軸部材により構成され、
前記着脱自在とされた綴じ板側の軸部材は、前記綴じ板を移動可能に貫通して外側に延びる延長軸部を備えていることを特徴とする綴じ具。
【請求項２】
前記綴じ板は、ベースに対してそれぞれ着脱自在に設けられ、前記軸部材は、各綴じ板を移動可能に貫通して外側に延びる延長軸部をそれぞれ備えていることを特徴とする請求項１記載の綴じ具。
【請求項３】
前記延長軸部は、曲線状部を介して前記ベースの位置よりも更に下向きに延びていることを特徴とする請求項１又は２記載の綴じ具。
【請求項４】
表紙体の内面側に綴じ具を装着してなるファイルにおいて、
前記綴じ具は、ベースの両側に回転可能に相対配置されるとともに少なくとも一方がベースに着脱自在に設けられた一対の綴じ板と、これら綴じ板間に位置する綴じ部材とを備え、
前記綴じ部材は、各綴じ板にそれぞれ支持されて軸方向に伸縮可能に嵌合する軸部材により構成され、
前記着脱自在とされた綴じ板側の軸部材は、前記綴じ板を移動可能に貫通するとともに、前記表紙体を貫通して当該表紙体の外側まで延びる延長軸部を備えていることを特徴とするファイル。
【請求項５】
前記綴じ板は、前記ベースに対してそれぞれ着脱自在に設けられ、前記軸部材は各綴じ板を移動可能に貫通するとともに、前記表紙体を貫通して当該表紙体の外側まで延びることを特徴とする請求項４記載のファイル。
【請求項６】
前記延長軸部は、前記表紙体の外側で掴み領域を形成することを特徴とする請求項４又は５記載のファイル。
【発明の詳細な説明】
【０００１】
【発明の属する技術分野】
本発明は綴じ具に係り、更に詳しくは、綴じられた書類の閲覧性を改善することができるとともに、効率的な書類の加除整理も行うことができる綴じ具及びこれを用いたファイルに関する。
【０００２】
【従来の技術】
図８には、従来のパイプ式ファイルが示されている。このファイル１００は、背表紙１０１の幅方向両側に表表紙１０２及び裏表紙１０３とを備えた表紙体１０５と、前記背表紙１０１の面内に図示しないリベット等を用いて固定された綴じ具１１０とにより構成されている。綴じ具１１０は、背表紙１０１への固定面をなす略長方形状のベース１１１と、このベース１１１の幅方向両側に配置された第１及び第２の綴じ板１１２，１１３と、第２の綴じ板１１３を綴じ込み位置に保つ綴じ板保持部材１１４と、前記綴じ板１１２，１１３間に延びる綴じ部材１１５とを備えて構成されている。綴じ部材１１５は、第１の綴じ板１１２に固定された綴じパイプ１２０と、第２の綴じ板１１３に固定された綴じ軸１２１との公知の嵌合構造により構成されている。
【０００３】
前記綴じ具１１０は、第２の綴じ板１１３と綴じ板保持部材１１４との相互引っ掛けを解除することにより、第１の綴じ板１１２が矢印Ｒ方向に回転可能となり、前記綴じ軸１２１を綴じパイプ１２０から抜き出すことにより、図示しない書類の加除整理、すなわち抜き差しが行えるようになっている。
【０００４】
【発明が解決しようとする課題】
しかしながら、この種のパイプ式ファイル１００は、綴じ部材１１５が第１及び第２の綴じ板１１２，１１３間で直線状に真っ直ぐ延びるタイプであるため、綴じ込まれた書類をできるだけ平面的に開くことが困難となり、書類の閲覧性に劣るという不都合がある。このような不都合は、多数枚の書類を綴じたときに一層顕著となる。
【０００５】
また、多数枚の書類が綴じられた状態で、例えば、第１の綴じ板１１２側に綴じられた特定の書類を抜き出す場合には、当該特定の書類上に位置する他の全ての書類を抜き出す必要がある。しかも、特定の書類を抜き出した後に、一旦抜き出した他の全ての書類の綴じ穴に綴じパイプ１２０を挿入しなければならないため、加除整理に際して非常に手間を要するという不都合がある。加えて、抜き出された書類を再び綴じ込み状態に戻す場合には、書類の綴じ穴に綴じパイプ１２０を挿入する作業が不可避となることから、かかる作業の反復によって綴じ穴回りの損傷も生じ易いものとなる。
【０００６】
更に、前述したパイプ式のファイルにあっては、綴じ込まれる書類の量が非常に多いため、ファイルが全体として重くなる傾向がある。従って、キャビネット等に収納した状態でファイルを手前側に引き出して取り出そうとするときの作業負担も決して軽いものとは言い難い。また、前記ファイルは、厚み寸法が大きなものであれば嵩張るために持ち運びも不安定で難しいものである。
【０００７】
【発明の目的】
本発明は、このような不都合に着目して案出されたものであり、その目的は、多数枚の書類が綴じられた状態においても、書類をできるだけ平面的な見開き状態にして閲覧性を良好に改善することのできる綴じ具及びこれを用いたファイルを提供することにある。
【０００８】
また、本発明の他の目的は、書類の加除整理を簡易且つ迅速に行うことができるとともに、書類の綴じ穴回りの損傷要因も回避することのできる綴じ具及びこれを用いたファイルを提供することにある。
【０００９】
更に、本発明の目的は、キャビネット等に収納したときに、容易なる取り出しを可能として作業負担の軽減を図ることのできるファイルを提供することにある。
【００１０】
【課題を解決するための手段】
前記目的を達成するため、本発明は、ベースの両側に回転可能に相対配置されるとともに、少なくとも一方がベースに着脱自在に設けられた一対の綴じ板と、これら綴じ板間に位置する綴じ部材とを備えた綴じ具において、
前記綴じ部材は、各綴じ板にそれぞれ支持されて軸方向に伸縮可能に嵌合する軸部材により構成され、
前記着脱自在とされた綴じ板側の軸部材は、前記綴じ板を移動可能に貫通して外側に延びる延長軸部を備える、という構成を採っている。このような構成とすれば、着脱自在に設けられた綴じ板をベースから取り外すことで、他方の綴じ板を回転させることができ、これによって軸部材をベースに対して起立する方向に向けることができるようになる。更に、ベースから取り外された綴じ板は、延長軸部側に移動させることが可能となり、綴じ板間の距離を長く取ることができる。従って、綴じ込まれた書類を略平面姿勢に保って書類の閲覧性を改善することが可能となる。しかも、この状態で、取り外された綴じ板側の軸部材を他方の軸部材から分離することで、加除整理を効率的に行うことができる。
【００１１】
また、本発明は、表紙体の内面側に綴じ具を装着してなるファイルにおいて、
前記綴じ具は、ベースの両側に回転可能に相対配置されるとともに、少なくとも一方がベースに着脱自在に設けられた一対の綴じ板と、これら綴じ板間に位置する綴じ部材とを備え、
前記綴じ部材は、各綴じ板にそれぞれ支持されて軸方向に伸縮可能に嵌合する軸部材により構成され、
前記着脱自在とされた綴じ板側の軸部材は、前記綴じ板を移動可能に貫通するとともに、前記表紙体を貫通して当該表紙体の外側まで延びる延長軸部を備える、という構成を採っている。
【００１２】
【発明の実施の形態】
本発明において、前記綴じ板は、ベースに対してそれぞれ着脱自在に設けられ、前記軸部材は、各綴じ板を移動可能に貫通して外側に延びる延長軸部をそれぞれ備える、という構成を採ることが好ましい。このような構成とすれば、各綴じ板がベースに対して着脱自在となっているため、ベースから取り外すべき綴じ板を任意に選択できるとともに、必要に応じてベースと分離した状態で、書類の一部を綴じ込んだ綴じ板を抜き出すことも可能となる。
【００１３】
また、本発明に係る綴じ具において、前記延長軸部は、曲線状部を介して前記ベースの位置よりも更に下向きに延びる構成を採り、これにより、綴じ板の移動距離を長く確保することができるとともに、綴じ板を倒伏姿勢にして書類を平面的に開くことを可能にして閲覧性を改善することが可能となる。
【００１４】
更に、前記ファイルにおいて、前記延長軸部は、前記表紙体の外側で掴み領域を形成するように設ける、という構成を採っている。このような構成を採用することで、例えば、ファイルがキャビネットに収納されている場合に、当該ファイルを容易に手前側に引き出しできるようになる。
【００１５】
【実施例】
以下、本発明の実施例を図面を参照しながら説明する。
【００１６】
図１には、本実施例に係る綴じ具が適用されたファイルの概略斜視図が示され、図２には、その要部拡大斜視図が示されている。また、図３には、前記ファイルを開いた状態の要部拡大斜視図が示されている。これらの図において、ファイル１０は、表紙体１１と、この表紙体１１の内面側に着脱自在に設けられた綴じ具１２とにより構成されている。表紙体１１は、綴じ具１２の装着面をなす背表紙１５と、この背表紙１５の短寸幅方向両側に連なる一対の表紙１６，１６とにより構成されている。ここで、表紙１６，１６の面内には、前記綴じ具１２の短寸幅方向（左右方向）両側を表出させる切欠窓１８が形成されている。
【００１７】
前記綴じ具１２は、図３に示されるように、ベース固定具２０によって背表紙１５の内面側に着脱自在に固定されたベース２１と、このベース２１の幅方向両側の中央部に配置された一対の操作部材２２，２２と、ベース２１の幅方向両側に支持されるとともに、前記操作部材２２，２２に一部がそれぞれ保持される一対の軸ピン２４，２４と、これらの軸ピン２４，２４に回転可能且つ着脱自在に設けられた第１及び第２の綴じ板２５，２６と、これらの綴じ板２５，２６に支持された綴じ部材２７とにより構成されている。綴じ部材２７は、第１及び第２の綴じ板２５，２６の相対面二箇所を貫通するとともに、相互にテレスコピックな関係で軸方向に伸縮可能に嵌合する軸部材としての第１の綴じ軸２８及び第２の綴じ軸２９とからなる。綴じ具１２は、前記操作部材２２，２２を内方に押圧操作することで、軸ピン２４の軸線位置が内側にずれるようになり、これにより、軸ピン２４と第１及び第２の綴じ板２５，２６の下端側との係り合いが解除可能とされてベース２１より取り外しできるようになっている。
【００１８】
前記ベース固定具２０は、図２及び図３に示されるように、背表紙１５の外面側二箇所領域に配置される外側部材３０，３０と、前記ベース２１の長手方向両側領域に配置される内側部材３１，３１とにより構成されている。外側部材３０は、背表紙１５及びベース２１を貫通して内方に突出する複数のフック部３３を備えている一方、内側部材３１は、前記フック部３３に係り合うように形成された複数の穴３５を備え、これにより、外側部材３０と内側部材３１とがベース２１を挟み込む態様で背表紙１５の内面側に着脱自在となっている。
【００１９】
前記第１の綴じ軸２８は一本のパイプ材を用いて形成されている。この第１の綴じ軸２８は、図３に示されるように、第１の綴じ板２５の二箇所に形成された一対の穴４０，４０をそれぞれ貫通して第２の綴じ板２６側に延びる直線状部２８Ａ，２８Ａと、これら直線状部２８Ａ，２８Ａの外方に連なって下向きに湾曲して延びる曲線状部２８Ｂ，２８Ｂと、当該曲線状部２８Ｂ，２８Ｂに連なってベースの位置よりも下向きに延びて表紙１６の切欠窓１８を通じて表紙１６の外側まで延びる直線状の延長軸部２８Ｃ，２８Ｃと、これら延長軸部２８Ｃ，２８Ｃの先端間を連結して掴み領域を形成する連結軸部２８Ｄとにより構成されている。この第１の綴じ軸２８は、第１の綴じ板２５がベース２１から取り外されたときに、第１の綴じ板２５が延長軸部２８Ｃの領域まで移動できる太さに設けられている。
【００２０】
前記第２の綴じ軸２９は、図２及び図４に示されるように、一本の軸材を用いて形成されており、第１の綴じ軸２８と同様の形状に設けられている。具体的には、第２の綴じ板２６の二箇所に形成された一対の穴４１，４１をそれぞれ貫通して第１の綴じ板２５側に延び、且つ、第１の綴じ軸２８における直線状部２８Ａ，２８Ａ内に伸縮可能に嵌合する直線状部２９Ａ，２９Ａと、これら直線状部２９Ａ，２９Ａの外方に連なって下向きに湾曲して延びる曲線状部２９Ｂ，２９Ｂと、当該曲線状部２９Ｂ，２９Ｂに連なってベース２１の位置よりも下向きに延びて表紙１６の切欠窓１８を通じて表紙１６の外側まで延びる直線状の延長軸部２９Ｃ，２９Ｃと、これら延長軸部２９Ｃ，２９Ｃの先端間を連結して掴み領域を形成する連結軸部２９Ｄとにより構成されている。この第２の綴じ軸２９も、第２の綴じ板２６がベース２１から取り外されたときに、第２の綴じ板２６が延長軸部２９Ｃの領域まで移動できる太さに設けられている。なお、第２の綴じ軸２９において、直線状部２９Ａは、曲線状部２９Ｂ寄りの一定領域を除いて先端までの外径が第１の綴じ軸２８側の直線状部２８Ａの内径に略一致する。また、直線状部２９Ａにおける前記曲線状部２９Ｂ寄りの一定領域と、曲線状部２９Ｂ、延長軸部２９Ｃ及び連結軸部２９Ｄは、第１の綴じ軸２８の直線状部２８Ａの外径と略一致する外径となっている。
【００２１】
次に、本実施例における作用について図６及び図７をも参照して説明する。
【００２２】
図３に示されるように、綴じ具１２は、第１及び第２の綴じ板２５，２６がベース２１の幅方向両側に支持された状態で相対的に起立した姿勢となり、これらの間に位置する第１及び第２の綴じ軸２８，２９によって書類が綴じ込まれることとなる。この状態では、図２に示されるように、各綴じ軸２８，２９は、それらの曲線軸部２８Ｂ，２９Ｂから連結軸部２８Ｄ，２９Ｄの領域が、表紙１６，１６の各切欠窓１８，１８を貫通して外側に突出する状態となる。
【００２３】
ここで、第２の綴じ板２６側の操作部材２２を内方に向けて押圧操作すると、第２の綴じ板２６がベース２１から外れることとなる。次に、第２の綴じ軸２９の曲線状部２９Ｂ、延長軸部２９Ｃ及び連結軸部２９Ｄを切欠窓１８に潜らせながら表紙１６を開き、そして、図４及び図６に示されるように、第１の綴じ板２５を外側に倒れ込ませるように第２の綴じ板２６を上方に回転させることで、第２の綴じ軸２９全体が表紙１６の内面側上方に移動することとなる。このとき、第１の綴じ軸２８側に支持されている書類Ｐは、図６中右側の表紙１６の内面上で略水平姿勢に変位し、見易い閲覧状態と容易なる筆記性を確保することとなる。
【００２４】
書類Ｐの加除、整理を行う場合には、図７に示されるように、第２の綴じ軸２９を第１の綴じ軸２８から抜き出した後、第１の綴じ軸２８を書類Ｐの綴じ穴に対して抜き差しすればよい。この際、多数枚の書類Ｐの中間に書類Ｐを加えたり、中間の書類Ｐを抜き出したりする場合には、該当する頁位置を開いておき、当該頁位置の上方にある書類Ｐを第２の綴じ軸２９側に退避させた状態で行うことができる。そして、加除整理が終了した後に、第２の綴じ軸２９を第１の綴じ軸２８に再び嵌合させて第２の綴じ軸２９側に退避させた書類Ｐを第１の綴じ軸２８側に戻して第２の綴じ板２６をベース２１に装着すればよい。
【００２５】
ファイル１０を図示しないキャビネットに収納する場合には、背表紙１５が手前側をなるようにして多数のファイル１０を収納することができる。この場合、各ファイル１０の手前側には延長軸部２８Ｃ，２９Ｃ及び連結軸部２８Ｄ，２９Ｄが位置することとなる。従って、連結軸部２８Ｄ，２９Ｄを掴み領域としてこれに指先を引っかけて手前側に引き出すことで、該当するファイル１０を滑り落とさず取り出して持ち運ぶことができる。また、取り出した後のファイル１０の持ち運びには、表紙１６を把持することなく二つの連結軸部２８Ｄ，２９Ｄを掴んで行うことができ、表紙体１１の特定領域を手垢等で汚損してしまうようなこともない。
【００２６】
従って、このような実施例によれば、パイプ式の綴じ具を用いた場合であっても、一方の綴じ板２５又は２６をベース２１から外すことによって書類Ｐを平面的に保つことができ、閲覧し易い状態に保つことができる。しかも、この状態では筆記も容易となる。
【００２７】
また、書類Ｐの加除に際しては、延長軸部２８Ｃ，２９Ｃを利用することで、書類Ｐを退避させておく領域が形成されるので、多数の書類Ｐの中間位置で加除整理する場合に、書類Ｐを完全に抜き出す必要性を無くして効率的に作業を行うことができる。
【００２８】
また、連結軸部２８Ｄ，２９Ｄを引っ掛け領域として利用可能となることから、壁面や家具の側板等にフックを設けておくことで、当該フックに吊り下げ保持させることもできる。
【００２９】
また、ファイル１０をキャビネット等に収納した状態で取り出すときに、連結軸部２８Ｄ，２９Ｄを指先の引っ掛け領域として利用でき、ファイル１０が高重量となっていても、容易にキャビネットより取り出すことができる。
【００３０】
なお、前記実施例では、第１及び第２の綴じ板２５，２６がベース２１に対して着脱自在となる綴じ具１２を示したが、少なくとも一方の綴じ板が着脱自在であればよい。
【００３１】
また、延長軸部２８Ｃ，２９Ｃ及び連結軸部２８Ｄ，２９Ｄは、背表紙１５から外側に突出する構成を示したが、これらの領域が表紙１６，１６の面上に位置するように、適宜な関節機構を第１及び第２の綴じ軸２８，２９に設けてもよい。更に、第１及び第２の綴じ軸２８，２９の形状も図示構成例に限定されるものではなく、綴じ板２５，２６の移動及び書類Ｐの退避を可能とする限りにおいて形状を変更することもできる。
【００３２】
【発明の効果】
以上説明したように、本発明によれば、少なくとも一方の綴じ板をベースから取り外すことで、他方の綴じ板を回転させることができ、これによって軸部材をベースに対して起立する方向に向けることが可能となる。更に、ベースから取り外された綴じ板は、延長軸部側に移動させることが可能となり、綴じ板間の距離を長く取ることができる。従って、綴じ込まれた書類を略平面姿勢に保って書類の閲覧性を改善することができる。しかも、取り外された綴じ板側の軸部材を他方の軸部材から分離することで、加除整理を効率的に行うことができる。
【００３３】
特に、一対の綴じ板がベースに着脱自在に設けられて各綴じ板を貫通する軸部材がそれぞれ延長軸部を備えた構成では、各綴じ板がベースに対して着脱自在となっていることで、ベースから取り外すべき綴じ板を任意に選択できるとともに、必要に応じてベースと分離した状態で書類の一部を綴じ込んだ綴じ板を抜き出すことも可能となる。
【００３４】
また、延長軸部が曲線状部を介して前記ベースの位置よりも下向きに延びる構成、或いは表紙体の外側に突出する構成とした場合には、綴じ板の移動距離を長く確保することができるとともに、綴じ板をそれぞれ倒伏姿勢にして書類を平面的に開くことを可能にして閲覧性を更に改善することができる。
【００３５】
更に、延長軸部が表紙体の外側で掴み領域を形成するように設けた構成では、例えば、ファイルがキャビネットに収納されている場合に、当該ファイルを容易に手前側に引き出して取り出したり、持ち運びすることができる。
【図面の簡単な説明】
【図１】実施例に係るファイルの概略斜視図。
【図２】前記ファイルの要部拡大斜視図。
【図３】前記ファイルを開いて綴じ具領域を示す概略斜視図。
【図４】一方の綴じ板をベースから取り外した状態を示す概略斜視図。
【図５】第１及び第２の綴じ軸を分離した状態を示す概略斜視図。
【図６】綴じられた書類の閲覧時における状態を示す概略説明図。
【図７】書類を加除整理する状態を示す概念説明図。
【図８】従来の綴じ具を示す概略斜視図。
【符号の説明】
１０  ファイル
１１  表紙体
１２  綴じ具
１５  背表紙
１６  表紙
２１  ベース
２５  第１の綴じ板
２６  第２の綴じ板
２８  第１の綴じ軸（軸部材）
２９  第２の綴じ軸（軸部材）
２８Ｃ  延長軸部
２８Ｄ  連結軸部
２９Ｃ  延長軸部
２９Ｄ  連結軸部
【図１】
0004092934.tif 000002
【図２】
0004092934.tif 000003
【図３】
0004092934.tif 000004
【図４】
0004092934.tif 000005
【図５】
0004092934.tif 000006
【図６】
0004092934.tif 000007
【図７】
0004092934.tif 000008
【図８】
0004092934.tif 000009